(57)【特許請求の範囲】
【請求項１】
液体透過性のトップシートと；
前記トップシートに接続されている液体非透過性のバックシートと；
前記トップシートと前記バックシートとの間に配置される吸収性コアと；
そして、
前記吸収性コアに取り付けられていて、横断方向の力が負荷された時に上に向かって変形し、前記横断方向の力が解除された時に元に戻る、弾性部材と；
を備えていて、前記弾性部材は少なくとも第１及び第２の片からなり、
前記弾性部材の前記第２の片は前記弾性部材の前記第１の片よりも狭く、
そして、前記弾性部材の前記第１の片は前記弾性部材の前記第２の片を覆っている、ことを特徴とする吸収性物品。
【請求項２】
前記吸収性コアは、４ｍｍよりも小さい厚さを有する、請求項１に記載の吸収性物品。
【請求項３】
前記吸収性コアの周縁部は前記吸収性コアの中央よりも薄く、コア素材の僅かに数ミリメーターのみが前記弾性部材の周縁部を越えて延出しており、そして、前記吸収性物品の一部分のみが使用中に体圧で圧縮される、ことを特徴とする請求項１に記載の吸収性物品。
【請求項４】
前記吸収性コアは、約２０％の吸収性ゲル状素材と、１０〜２０％のステープルファイバーと、６０〜７０％のセルロースファイバーと、で構成されている、ことを特徴とする請求項１に記載の吸収性物品。
【請求項５】
前記弾性部材は、天然ゴム発泡体、合成ゴム発泡体、不織繊維ハイロフツから成るグループから選択される、ことを特徴とする請求項１に記載の吸収性物品。
【請求項６】
前記弾性部材の前記第１の片は前記吸収性物品の中央部を覆う、ことを特徴とする請求項１に記載の吸収性物品。
【請求項７】
前記弾性部材と前記吸収性コアとの間のティシューカバーを更に備えている、ことを特徴とする請求項１に記載の吸収性物品。
【請求項８】
前記ティシューカバーはエアレイド・ティシューの片であり、前記吸収性コアを前記弾性部材に当接し続ける、ことを特徴とする請求項１に記載の吸収性物品。
【請求項９】
液体透過性のトップシートと；
前記トップシートに接続されている液体非透過性のバックシートと；
前記トップシートと前記バックシートとの間に配置される吸収性コアと；
を備えていて、前記トップシート，前記バックシート，そして前記吸収性コアが形成している吸収性物品であり、
サブストレートバックシートが、前記吸収性物品の周縁の少なくとも一部に取り付けられていて、
前記吸収性物品は、前記吸収性物品に横断方向の力が負荷された時に上に向かって変形し、前記横断方向の力が解除された時に元に戻り、
前記サブストレートバックシートは、構造的に弾性状のポリマー・フィルム又は前記弾性部材と同じ素材により形成されている、
ことを特徴とする吸収性物品。
【請求項１０】
前記弾性部材はロール状に巻かれ、前記吸収性物品と前記サブストレートバックシートとの間に配置されている、ことを特徴とする請求項９に記載の吸収性物品。
【請求項１１】
前記弾性部材は、天然ゴム発泡体および合成ゴム発泡体から成るグループから選択される、ことを特徴とする請求項９に記載の吸収性物品。
【発明の詳細な説明】
発明の背景
本発明は、その装着中におけるより良い形状維持性と体への良好な接触性を許容する使い捨て可能な吸収性物品に関する。詳しくは本発明は、こぶ、過密化および、崩壊を減らすためのソフトな発泡性部材を有する月経パッドに関する。また本発明は、失禁者用物品や衛生ナプキン等を包含することをも意図しており、快適性のみならず、こぶを減らすこと、及び／又は、体への接触性はこれらの物品としての性能にとっても重要である。
従来より周知の月経パッド又は衛生ナプキンが、液体透過性のトップシートと、このトップシートに接続する液体非透過性のバックシートと、これらトップシートとバックシートとの間に配置される吸収性コアとを具備していることが知られている。しかしながら、従来のパッドには使用上において幾つかの欠点があり、両脚からの横断方向の力を介してこぶが発生する。更に加えて従来のセルロース製のコア材は、血圧および体圧のために押し潰されそして密度が高くなることがある。よってそのパッドは変形され、そして下着に対し信頼性のあるフィット感またはカバー性を提供してくれなくなる。
従来技術としてのパッドは、使用時にそのパッドの形状が維持されるような様々な構造を包含し、ユーザに快適な使用咸を継続して与えるように構成されている。その様な構造は、米国特許番号４,１９５,６３４(DiSalvo)、４,８８６,５１３(Mason)および５,１９７,９５９(Buell)に開示された構造を含んでいる。しかしこれらのデバイスは、ある種の変形を防ぐことが可能な構造を提供したが、なおそれらの本来の形状が持続されるような改良された吸収性物品が捜し求められている。
本発明の目的は、ソフトな使い捨て可能な吸収性物品を提供することに在り、それは弾力性のある構造を有し、湿り崩壊を防ぎ、また形状維持とこぶを減らすことによって、体圧による高密度化を防ぐものである。
さらにこぶの発生を減らして装着時の脚からの横断方向の力が及ぼされた際に、そのパッドの優先的な曲げ又は持上げ（lift）を介してそのパッドの体に対する接触を確実にするように弾力性のある構造がデザインされている。
発明の概要
本発明によれば、液体透過性のトップシートと、前記トップシートに接続する液体非透過性のバックシートと、前記トップシートとバックシートの間に配置される吸収性コアとを具備する吸収物品であって、前記吸収性コアに取り付けられたソフトな弾性部材は、好ましくはそのパッドに横断方向の力が及ぼされた際に予想できる状態に変形、屈曲又は持ち上がるような吸収性物品である。
さらに本発明によれば、液体透過性のトップシートと、前記トップシートに接続する液体非透過性のバックシートと、前記トップシートと前記バックシートの間に配置された吸収性コアとを含む吸収性物品であって、これらトップシート、バックシートおよび吸収性コアは１つの製品を形成し、１つのサブストレート（碁板）バックシートが、少なくともその周辺の一部において製品に取り付けられ、１つのソフトな弾性部材が、その製品とサブストレートバックシートの間に配置されて、この物品は、これに横断方向の力が作用したとき、予測可能な態様で優先的に変形し、曲がり、持ち上がる。
この発明のなお別の様相によれば、吸収性物品を製造する方法が提供され、前記方法は、液体透過性のトップシートを用意するステップと、所定形状の吸収性コアを用意するステップと、一片のティシューを用意するステップと、このティシューの一片よりも小さい寸法を有すると共に、トップ、ボトム及びサイドエッジを有する弾性部材の第１片を用意するステップと、この弾性部材のトップにそのティシューを付着させるステップと、その弾性部材のサイドエッジに残りのティシューを折り込むステップと、その弾性部材の第１片よりも小さい弾性部材の少なくとも１つの第２片をカットするステップと、その弾性部材の第１片が第２片の少なくとも１つを覆うように、少なくともその第２片の１つをこの弾性部材の第１片に当接させるステップと、液体非透過性バックシートをその弾性部材の第１片に当接させるステップと、から構成される。
【図面の簡単な説明】
本発明の好適な実施例については、次のような添付図面を参照することで説明される。すなわち、図１Ａは、本発明による月経パッドの平面を示す。
図１Ｂは、本発明の月経パッドの端部を示す。
図２Ａ〜２Ｃは、３つの代替設計パッドの端部を示す。
図３は、パンティに接着するためのＶ形状の補助部材を示す。
図４Ａ〜４Ｄは、本発明の１つの好適実施例において使用される弾性を有するポリマーフィルムを模擬的に示す。
好適実施例の詳細な記述
本発明の目的は、１つの弾性部材を付加することにより優れたフィット性と液処理能力をもつカタメニアルパッド又は使い捨て可能な吸収性物品を提供することにあり、この弾性部材は横断方向の力が付与された際には予想可能な態様で優先的に変形、屈曲又は持ち上がりを起こす部材である。このパッドは、横断方向の圧縮力で持ち上がり、上方に曲がって体に接触する。そしてこの横断方向の力が解放されると、そのパッドは曲がった板ばねが元に戻るようにほぼ元来の全幅に復帰する。
なお、ここで使用される用語「使い捨て可能な吸収性物品」とは、体からの滲出液を吸収しそれを保持する物品を意味し、詳しくは、装着者の体に向き合うか接近して配置され、体からの各種の滲出液（例えば、血液、メンス、尿）を吸収して保持し、一回限りの使用（即ち、洗濯、再格納保存または再使用をしようとしないで用いられる形態）の後には捨てられることを前提とする物品である。本発明の使い捨て可能な吸収性物品の好適な実施例は、カタメニアルパッドまたは衛生ナプキンにおいて利用され得る。またここで使用される用語「衛生ナプキン」は、外陰部に隣接する女性器に対して装着される物品であり、メンス血液および他の女性特有の排出物を吸収して保持する衛生物品である。
本発明の適用において、カタメニアルパッドの如き吸収性物品は、１つの液体透過性のトップシートと、１つの液体非透過性のバックシートと、１つの吸収性コアとを有している。そしてこのトップシートとバックシートは好ましくはその吸収性コアに比べてその長さ及び幅が通常大きな寸法を有している。さらにそれらトップシートとバックシートとは、中間の素材を直接または間接的に介して互いに接続されている。
そのトップシートはしなやかでソフト感覚を有し、装着者の肌に対して炎症を起こさないものである。さらにこのトップシートは、その厚さを通過して液体が透過することを許容する透過性を有している。このトップシートとして適する素材は広く存在し、例えば、発泡体状に加工されたサーモプラスチックフィルム、穴が開けられたプラスチックフィルム、多孔性発泡体、網状発泡体、天然繊維（例えば、木または綿繊維）、シンセティックファイバ（例えば、ポリエステルまたはポリプロピレン等の合成繊維）または、天然繊維及びシンセティックファイバを好適に発泡体フィルムと組み合せたものである。
適切なる非織物のトップシートは、北米のFiberweb, Simpsonville,SCからの”ＣＥＬＥＳＴＲＡ”として知られる、１８ｇ／ｙｄ2（２１．５ｇ／ｍ2）のスパンボンデッド（化学繊維の不織布）・ポリプロピレン非織物素材でもよく、これは次には、米国特許番号４,７８１,７１０（Megison et al. 1988 11月１日）に開示されたパターンにエンボス加工が施される。これはまた、Dri Weaveで知られる弾性プラスチック織物、三次元的にマクロ的に拡張する孔の開いたプラスチックフィルムあるいは、米国特許番号４,３４２,３１４および４,４６３,０４５に基づき作られた繊維のような印象と触感を奏する弾性プラスチック織物でもある。
発泡体状フィルムは、好ましくはトップシート用の素材であり、この理由は、それら素材が液体に対して透過性ではあるが吸収性ではないからである。
このように、その発泡体状フィルムは、体に接触しドライの状態を維持し、それによって体の汚染を減らし、そしてその装着者に更に快適な装着感を創り出す。それに加えて、このトップシートに親水性を創出するために界面活性剤が散布されており、液体がそのトップシートをより早く通過する助けとなっている。
一方、バックシートは、好ましくは薄いプラスチックフィルムであるが、他の柔軟で液体非透過性の素材も採用され得る。このバックシートは、コア内に吸収され保持されていた滲出液が、そのパッドと接している物品、例えばパンツ、パジャマあるいは肌着などを濡らすことを防ぐ。従ってこのバックシートは、織物又は非織物、例えばポリエチレン又はポリプロピレンのサーモプラスチックフィルム等のポリメリックフィルム、またはフィルムコートされた非織物などの複合材から構成されていてもよい。一例としてのバックシート材は、１ミル(mil)厚（１インチの千分の１、又は、０．０２５mm）である。
吸収性コアは如何なる手段で形成されてもよく、通常は圧縮可能で装着者の肌に対しては適用可能でチクチクしない感触であり、しかも体からの排出物や各種液体を吸収して保持することができるものである。この吸収性コアは様々なサイズおよび形状（例えば、矩形、くびれ形、その他従来から知られる様な形状）でもよく、また、広範な種類の液体吸収性素材から形成され、利用される使い捨て可能な衛生ナプキン、ダイヤパー（月経帯）および、例えば粉砕されたウッドパルプなどの吸収性物品に通常使用される材料から形成される。この種のウッドパルプは通常「エアフェルト」として参照され、そしてこれは本発明の好適実施例にも利用されている。この他にも吸収性コアに適する素材としては、例えば、化学的に変えたセルロース誘導体、熱により接着したセルロース誘導体、あるいは濡れたとき膨張するポリマー材を平らにした超吸収体（スーパーアブソベント）ハイドロゲルのような材料もある。（従って、ここではそれらを「吸収性ゲル化素材」または″ＡＧＭ″と称する）−ラミネート物品、シンセティックス（合成物品）、またはその組合せ物品である。他の例としては、クレープ状に覆われたセルロースの塊または束、ハイドロゲル素材、ポリメリック繊維又はそれらと等価の素材ないしその素材の組合せをも含む。
超吸収体は、それ自体の重さの数倍〜６０倍に対応する量の体液や血液を吸収することが可能な素材である。ただしこの吸収性コアの総吸収容量は、その吸収性物品を利用しようとする際の滲出液に匹敵する量であるべきである。例えば昼間専用の衛生ナプキンと夜間専用の衛生ナプキンとはその容量において比較され得るように容量が異なるし、また同様に、１０代女子専用の衛生ナプキンと成熟した女性により使用されるものとは自ずと比較され得るように容量が異なる。
本発明の吸収性物品は、形状の良好な維持および体への良好な接触性を得るために弾力性のある部材を適用している。本発明の第１実施例の吸収性物品は、薄さ（１０mm以下のキャリパー（膜厚）でしかも好適には４mm厚）で、最初に所定の曲がりと持ち上がりを有して成るソフトな弾性部材を用いることによって、１つのカタメニアルパッドを提供でき、このような吸収性物品はその形状を維持し続け、こぶを削減して使用期間中にわたって良好な領域カバーと体への接触の継続を提供してくれる。本発明の第１実施例の使い捨て可能な吸収性物品は、血液透過性をもつトップシートと血液非透過性をもつバックシートとの間に配置された薄い吸収性コアを具備している。このコアの元来の形状およびそのコアのキャリパー（厚さ）は、ソフトで弾力性のある発泡体部材である結果、使用中に維持される。この弾性部材は天然ゴム、好適にはクロスリンクされた天然ゴム発泡体または合成材料、例えば合成ゴム発泡体であり得る。またその部材は所定の補助接着部材でそのコアと接着していてもよい。
そのコアが薄いことは、曲げてその弾性部材を動かすためにはそのコアにとって極めて重要なことであるのみならず、その弾性部材の加えられた嵩高性を補償するためにも重要である。そのコアの両サイドはその中央よりも薄く、その部材の周縁部の先には僅かな量のコア材が延長しており、そのパッドのほんの小さな領域だけが使用中に体圧で圧縮される。これは、そのコア全体が「でこぼこ」して保護する機能を失うことを防止している。また、クロスリンクされた天然ゴム発泡体（ＸＮＲＦ）弾性部材の採用は極めてフレキシブルでソフトであるが、高い弾力性に富むユニークな特性のセットを提供してくれる。
オプション的には、そのコアおよび部材は、ティシュー・カバーを有していてもよい。ラテックス接着のエアレイド・ティシューの１片は、そのコアが、摩擦および密着を良くするため、発泡体のバックボーンにしっかりと取り付けられていることが好ましい。ラバー発泡体はそれだけでは、極めて滑らかでつるつるしている。この結果そのコアは離れやすく、ついには、こぶとなる。
本発明の好適な実施例において、このコアは、吸水性ゲル状素材と、ＰＥＴ（ポリエチレン・テレフェサラート（テレフタル酸塩（エステル））ステープルファイバ（弾力性のため）、およびセルロース又はセルロース誘導体ファイバから構成されている。またこのコアは、４mm以下で、好適には３mmの厚さである。ティシューは、Ft.Howard of Green Bay,Wisconsin or Merfin of Vancouver B.Cからのエアレイド(arilaid)・ティシューである。
このシステムは関連する図面と共に以下に詳しく記述されている。先に述べた概要記載および次の詳細記載はほんの一例であると共に説明上のものであって、本発明の制限事項ではないことは理解できる。また、本発明の一部を成す添付された図面は本発明の複数の実施例を表わし、その記述と共に平易な用語で本発明の要旨を説明するために与えられたものである。付記された符号は開示内容を通じて対応するパーツを参照するものである。
図１Ａ及び図１Ｂに基づく製品１０はくびれた砂時計形状のものである。コア１２は、横断方向１４および長手方向１６の方向を指向している。本発明によれば２つの片の弾性部材１８が設けられている。第１片２０はコア１２に最も近くあり、中央領域の全体をカバーしている。この通常の寸法は、幅６０mm×長さ７０mm×厚さ２．５mmである。この層はパック（puck）２２を覆うに充分にフレキシブルであり、好ましい変形をすると共に、この寸法は、脚により横断方向の力が加わった際に好まい持ち上げを達成するためには重要な寸法である。第２片２２は１つの狭いパックである。体に対する接触を全体に亘って維持する形状を提供するためには、充分な厚さを備えなければならない。大多数パッドは、漬れることがなく、しかも１００％のセルロース又はセルロース誘導体から作られたコア構造に類する密度を有している弾性発泡体を具備する。そのパックの幅は、最良の唇状のフィット性を与えるが侵入性はもっていない。またこのパックは臀部とのフィット性（つまり、装着者の尻の間の割れ目へのフィット性）を阻害しないような長さに設定されている。そしてこのパックの通常寸法は、幅１２mm×長さ７０mm×厚さ７．５mmである。パッド１０のコア１２は、図１（Ｂ）に示すように、弾性部材１８で周囲を覆われており、図の長手方向および横断方向に形成された枕の様な形状を成している。特にこの製品が長手方向の断面で見ると、厚い中央部および薄い両端部を有している。またこの製品の横断方向の断面を見ると、厚い中央部および薄い両側部を有している。断面がこの様なタイプのものは、その吸収性を向上させると共にその製品のフィット感を改善させている。上述の如くパッド１０は、通常そのコアが分離することを防止するように、バックボーン１８に接着されたティシューを含んで形成されている。
コア１２は好適には、セルロース誘導体ファイバーと、吸収性のゲル状素材と、ＰＥＴで作られている。ただしＡＧＭの量は、ＰＥＴの量ほどには重要ではない。好ましくはこのコア１２は、６０〜７０％のセルロース又はセルロース誘導体ファイバーでできており、約２０％のＡＧＭ（吸収性ゲル状素材）および１０〜２０％のＰＥＴで作られている。しかし、ＰＥＴの範囲が２０％に近くなるとそのコアは更に親水性を増してくる。
本発明に基づきこの実施例は、本発明の要旨を逸脱しない範囲であれば幾つかの変形を施してもよい。例えば合成ゴム発泡体が、ＸＮＲＦの代わりに用いられてもよい。そのインサート（挿入）の寸法は、改善されたフィット感のためには狭くてよいし、またはその装着者の形状に順応するように変えてもよい。勿論、厚さをもたせるために例えば３、４個の発泡体が用いられてもよい。
図３に図示の如く、パンティに接着するためのＶ形の補助部材４２は、膣口にフィットするためのパッド１０に組み合わされて使用されてもよい。本実施例では、これらのＶ字形状の部材４２はそのパッド１０の両方の端部において、内側を指示するＶ４４の部分を有している。これは所謂「吸収性物品のファスナーパターン」と称され、２／４／９３年に発行されたＷＯ ９３／０１７８３（Olsen et al.）に開示されている。
更なる変形例としては、横断方向の圧力が加わった際に予想できる範囲でのその部材の優先的な変形、屈曲または持ち上げのためである限りは、本発明のデザインにおいて多数個から成る構造の代わりに単一片の部材設計を導入することもまたよいであろう。
さらに加えて、クロスリンクされた天然ゴム発泡体と合成ゴム発泡体、そして多種多様な弾性素材が、このパッドを形成するものとして本発明に基づいて採用されてもよいであろう。これらは、不織布（非織物）ハイロフツ、合成繊維のバッツ(butts)、（粗織の丈夫な綿布である）スクリム（優先的には柔軟性を変え得るプラスチック製ネット）および、例えば米国特許番号５,２６０,３４５、５,２６８,２２４および５,３３１,０１５に例示された如くのポリウレタン等の発泡体を形成する他素材から作られてもよい。
続いて、本発明の上述した実施例に基づく吸収性物品を製造するためのプロセスについて述べる。その第１例は、クロスリンクされた天然ゴム発泡体で成る弾性部材を有する使い捨て可能な吸収性物品について記述される。またその第２例は、合成ゴム発泡体で成る弾性部材を有する使い捨て可能な吸収性物品について記述される。
製造方法の第１例（ＸＮＲＦ）
このトップシート用には、種類としては非織物で、７×１２インチ（１７．８×３０．５cm）の大きさの連続する１枚のトップシート素材が、スパンレース(Spunlace)に超音波接着される。約６０×２０５mmのフルサイズ（全長）の形状のコアは、８０％エアフェルトおよび２０％ポリエステルコアという構成の構造であり、日本国の大阪に在る住友セルカ社から供給される２０％ポリエステルのＳＡＮＷＥＴ吸収性ゲル状材がブレンド（混合）されたものであって、ダイスカット（さいの目切り）されている。コア部分はそのフルサイズのコア（１平方インチ当たり０．２グラムの比重）と同等な素材を有し、約６０×１１０mmの寸法を有し、同様にダイスカットされている。またこのコア部分は、エアフェルト・コアが混合成形され、全コアの長手方向の形状を形作るフルラインのその底部に採用されている。そしてそのコアのトップは、／吸収性パッド毎に約０．０ｇのトップシートに対して接着される。
次に、約６０mm×７０mmのティシュー片と、約５２mm×７０mmの０．１インチ（２．５mm）ＸＮＲＦ発泡体・コアがカットされる。そしてこれら２つの片は、螺旋状に互いに接着され、Ft. Howard製ティシューがこのＸＮＲＦフォームの層の上面となる。またその他のティシュー素材はそのＸＮＲＦの両サイドに折り畳まれる。０．２インチ（５．０８mm）ＸＮＲＦフォームの２つの小さな片は、約１／２×３インチ（１２．７×７６．２mm）という寸法を有し、カットされた後にはこれより大きなＸＮＲＦの層の下の中央に位置決めされる。それらは１インチのテープによってその位置に保持され、これは好ましくは３Ｍタイプのテープであり小さいＸＮＲＦの片の下に配られる。０．２５インチ（６．３５mm）のテープ片は大きなＸＮＲＦ発泡体のサイドの下に配され、そしてポリメリック・バックシートにテーピングされる。トップシート／コアおよび発泡体・サブユニットは、シーリング（貼付け）される前に組み合わされる。最終的なパッドは動かないようにシールドされる。続いてこのパッドは方向調整され、その周縁の周りに約５mm程離れてクリンプ（ひだや縮みを作る）形成が施される。そして、約２×７インチ（５０．８×１７７．８mm）のパンティ接着用の補助部材が付けられる。次には、そのパッドの裏にリリースペーパーが設けられる。最後に、界面活性剤がパッド毎に０．０１ｇ、例えば、Greeenwichi, CTのGlycoミカル社によって販売されているPegosperseが、そのトップシートを親水性にするために散布される。
製造方法の第２の例（弾性ゴム形成品）
Ft.Howard製ティシューの第１層は、約５２mm×７０mm（２ １／１６”×２ ３／４”）という寸法にカットされる。そして、０．１インチ（２．５４mm）厚のゴム発泡体が約５２mm×７０mm（２ １／１６”×２ ３／４”）という寸法にカットされる。次に、０．１インチ（２．５４mm）の３層のゴム発泡体が底層として約６．３５mm×７６mm（１／４”×３”）の寸法にカットされる。接着剤は、例えば、Elmgrove,WIのFindley Adhesives社から供給されるものであり、”Findley Adhesive”が、Ft.Howard製ティシューの一方のサイドに螺旋状に設けられ、また０．１インチ（２．５４mm）のゴム発泡体の上面層が取り付けられる。そして、約７０mm、１インチ（２５．４mm）の両面テープが、フォームサイド上に０．１インチ（２．５４mm）のゴム製発泡体／ティシューの中央に敷置される。またペーパーバッキングは、その１インチ（２５．４mm）のテープ片から除去される。次に、０．１インチのゴム製発泡体（１／４”×３”（６．３５mm×７６．２mm））がその１”テープの上の中央に配られる。１／４”（６．３５mm）の一層のテープはその発泡体上に置かれる。そして、そのペーパーバッキングはそのテープから除去され、他の０．１インチ（２．５４mm）の発泡体片が１／４”テープのトップに配置される。このプロセスは、（１／４”×３”（６．３５mm×７６．２mm））の発泡体の３層の全てが積層されるまで繰り返される。
次に、１／４”（６．３５mm）のテープ片が、最後の０．１インチの発泡体の中央に置かれる。なお、接着されたトップシートは、約１２”（３０４．８mm）のロール片にカットされる。このトップシートは米国特許番号４,７８１,７１０に開示のようにエンボス加工されたＣＥＬＥＳＴＲＡであり、米国特許番号４,９１９,７３８（Ball et al.の″DYNAMIC MECHANICAL BONDING METHOD AND APPARATUS″）に開示の如くに、Dry Weave素材と積層される。
例えばFindley H2031-０．００５ｇ／ｉｎ2(０．３２３ｇ／ｃｍ2）などのコア接着剤は、高温度溶解（ホットメルト）接着剤であり、ＣＥＬＥＳＴＲＡのトップシートのサイドに供給され、そしてリリースペーパーが接着剤から除去される。６４％のエアフェルト、１６％のＰＥＴ（Hoescht CelaneseからのCELWET、２０％のＡＧＭのコアはその螺旋状の接着剤上に中央配置された。その合成ゴム発泡体ユニットは、Ft. Howard製ティシューの側を有するコアのバックサイドに配敷される。このユニットは長手方向および横手方向において中心に位置決めされる。ペーパーバッキングは、発泡体の最後の片における１／４”（６．３５mm）のテープの３層から取り除かれる。またポリエチレン製のバックシートが適用される。それらパッドは続いてダイ（さいの目に切ったもの）とシールドされる。寸法が約２”×３／４”（５０．８mm×１９．０５mm）のパンティ接着用の接着剤は、白色のリリースペーパー上において″Ｖ″字パターンに設けられる。パッドには次に、界面活性剤、例えばPegosperse（０．０１ｇ／パッド）が散布され、最後にこの物品の検査が行われる。
この物品は最終的には次のような寸法を有する。
重量                    １２．５ｇ
長さ                    ２２５mm
中央部幅                ７６mm
末端幅                  ９３mm
中央厚                  ２０．２mm
末端厚                    ８．４mm
しかしながら、上記の弾性部材とパックの配置、挿入物の他の寸法は、フィットするための更なる特性を与えてもよい。例えば、弾性部材の層はバックシートの外側に配置されてもよいし、又は／及び、ポリメリック素材の一層によって包囲されてもよい。またその弾性部材は更に確実な取付けのためにそのベースに接着されてもよい。
さらに、米国特許番号４,４２５,１３０（Des Marais）に開示のようなコアチューブ又はバン（bun）のような製品は、この弾性部材挿入物と共に使用されてもよい。またこのバンは、毛細管状のチャネル（溝）のあるファイバーのふさ状の繊維のバンドル（束、塊）であり、通常は吸収性コアのトップに配される。また、非常にフレキシブルな端部を有する製品は、臀部の割れ目におけるフィット感を増大させるために用いられ得る。
例えば、本発明の対応する実施例によれば、吸収性コアは接着剤上に沿って付随していてもよく、この接着剤はバックシートの内表面に配さられて吸収性コア上に設けられたバリアシートを保持するためのものである。この実施例においては、トップシートがこの吸収性コアのサイドエッジの周囲およびこのバリヤシートの上に延長してあり、そのナプキンの外被表面上にそのトップシート自体がオーバーラップしている、吸収性コアおよびバリアシートは、それら自体によって所謂「中空ナプキン」として通常知られるものを形成する。トップシート及びバックシートのオーバーラッピングする部位は互いに加熱シールドされ、そのナプキンの終端部を形成する。３つのこれら配置形態は、以下に記述されると共に、図２Ａ〜図２Ｃに対応して示されている。
図２Ａに例示された第１の配置形態においては、チューブ３２は、トップシート、バックシートおよび吸収性コアを含む全パッドを具備している。このチューブ３２は、構造的にエラスティック（伸縮自在）なポリマーフィルム製バックシート３４に両サイドテープで取り付けられている。このポリマーフィルム製バックシートはバックシートの全機能を提供する必要はなく、またそのパッドの全長に延長する必要もない。このシートの目的は、改善されたフィット感のためのコア変形を提供することにある。
図４Ａ〜図４Ｄに示された如く、エラスティック・ポリマーフィルムの１つの構造が規定されている。また、ウエッブ素材６０は、伸ばすことができる領域の１つのネットワーク６２を有している如くに例示されており、前記領域では、更に加えられるエラスティック素材を用いることなくその伸びる方向に伸長する状態が示されている。２つの別個の領域が、１つの伸縮自在な第１領域６４を伴なう比較的低い抵抗力ステージのウエッブを提供し、同様にそれに対応して、もう１つの伸縮自在な第２領域６６を伴なう比較的高い抵抗力ステージのウエッブを提供している。この第２領域６６は、連続して相互に接続して成る複数の変形（湾曲）部分７４を含み、これは第１領域６４の平面を越えて延長されている。図４Ｂ〜図４Ｄには、構造的に伸縮自在なポリマーの伸長可能なウエッブ素材６０が少なくとも２つ別個に表わされており、これらは与えられた伸びを受ける際に、その伸びに抵抗する制御された力のまったく異なるステージを呈する。
一方、対応する第２の配置形態においては、チューブ３２が上記の如くに取り付けられている。しかしこれに更に加えて、ＸＮＲＦ弾性部材ロール３６が図２Ｂに見られる様なチューブに挿入される。このＸＮＲＦは、好ましくは厚さが５mmでありその長さが６５mmである。さらにこのロールは所望により接着剤でそのポリマーフィルム製バックシートにしっかりと取り付けられていてもよい。この弾性部材ロールは主要なバックシートの外側であり、よって、そのコアにゴム発泡体を取り付けるためのティシューは必要とされない。
第３の配置形態においては、ＸＮＲＦ弾性部材ロール３６が、前述と同様にチューブ３２の中に挿入されている。しかし、構造的に伸縮自在なバックシートとしてのポリマーフィルムの代わりに約２mm厚のＸＮＲＦ３８の層が用いられ、これは図２Ｃに示す断面の如く、好ましくは約７０mm×５０mmの寸法を有している。
したがって前述した複数実施例からも解るように、付加された弾性部材がこの使い捨て可能な吸収性物品としてのフィット感および血液処理能力を増大させることが明らかである。
なお、本発明の詳細なる記述とその好適実施例の参照により、添付する請求の範囲に記述した本発明の要旨から逸脱しない範囲であれば、異なる変形および応用は可能であることは明らかであろう。
【図１Ａ】
0003923524.tif 000002
【図１Ｂ】
0003923524.tif 000003
【図２Ａ】
0003923524.tif 000004
【図２Ｂ】
0003923524.tif 000005
【図２Ｃ】
0003923524.tif 000006
【図３】
0003923524.tif 000007
【図４Ａ】
0003923524.tif 000008
【図４Ｂ】
0003923524.tif 000009
【図４Ｃ】
0003923524.tif 000010
【図４Ｄ】
0003923524.tif 000011